(57)【要約】【課題】  最新の電話帳データを備えるように更新できる。【解決手段】  ファクシミリシステムは、オリジナルの電話帳データを含む電話帳データテーブル７ａを格納したサーバ装置２０−０と、コピーデータの電話帳データを含む電話帳データテーブル７ａを格納した複数Ｎ個のクライアントファクシミリ装置２０−１乃至２０−ＮとがＬＡＮ３０を介して接続されて構成される。各クライアントファクシミリ装置２０−１乃至２０−Ｎは電話帳データテーブル７ａ内の電話帳データがコピーデータであるときに、サーバ装置２０−０にＬＡＮ３０を介してアクセスして１つの識別子の電話帳データを受信して、受信した識別子の電話帳データと、同一の識別子を有する自装置内の電話帳データとを比較して、自装置内の電話帳データが古いとき、自装置内の電話帳データを上記受信した電話帳データで更新する（図４のステップＳ２−Ｓ５）。【選択図】図４
2006080965.tif 000002
【特許請求の範囲】
【請求項１】
オリジナルの電話帳データを含む電話帳データテーブルを格納したサーバ装置と、コピーデータの電話帳データを含む電話帳データテーブルを格納したファクシミリ装置とがネットワークを介して接続されてなるファクシミリシステムのためのファクシミリ装置であって、
上記電話帳データテーブルは、識別子で区別された電話帳データを含み、
上記電話帳データテーブル内の電話帳データがコピーデータであるときに、上記サーバ装置にアクセスして１つの識別子の電話帳データを受信して、受信した識別子の電話帳データと、同一の識別子を有する自装置内の電話帳データとを比較して、自装置内の電話帳データが古いとき、自装置内の電話帳データを上記受信した電話帳データで更新する更新手段を備えたことを特徴とするファクシミリ装置。
【請求項２】
使用者が上記電話帳データの印字処理を指示したとき、上記更新手段は、上記比較して更新する処理を実行することを特徴とする請求項１記載のファクシミリ装置。
【請求項３】
使用者が上記電話帳データの宛先を選択して指定したとき、上記更新手段は、上記比較して更新する処理を実行することを特徴とする請求項１記載のファクシミリ装置。
【請求項４】
上記更新手段は、上記比較して更新する処理を所定の時間間隔で定期的に実行することを特徴とする請求項１記載のファクシミリ装置。
【請求項５】
上記更新手段は、使用者の指示に基づいて実行することを特徴とする請求項１記載のファクシミリ装置。
【請求項６】
上記電話帳データはコピーデータであることを示す情報を含み、当該情報を含む電話帳データを出力する出力手段をさらに備えたことを特徴とする請求項１乃至５のうちのいずれか１つに記載のファクシミリ装置。
【請求項７】
上記出力手段は、上記電話帳データを表示し、印字し、又は外部装置に対して出力することを特徴とする請求項１乃至６のうちのいずれか１つに記載のファクシミリ装置。
【発明の詳細な説明】
【技術分野】
【０００１】
本発明は、電話帳データを有するファクシミリ装置に関する。
【背景技術】
【０００２】
最近の電話機やファクシミリ装置においては、しばしばダイヤルする宛先情報の電話帳データを有して、発信するときにその電話帳データから宛先を選択するように構成されている。
【０００３】
例えば、特許文献１においては、電話帳情報等のディレクトリ情報の操作性を向上させたディレクトリ情報共有管理システムを提供するために、ディレクトリ情報共有管理装置と、複数の電話端末機とが有線又は無線回線で接続されたシステム（以下、従来例という。）が開示されている。このシステムは、通信相手を特定するためのディレクトリ情報を共有して管理するディレクトリ情報共有管理システムである。ディレクトリ情報共有管理装置において、共通情報登録管理手段は、ディレクトリ情報として、前記電話端末機が共有して利用する共通情報を登録、管理し、ディレクトリ情報共有管理装置は各電話端末機と共通情報の送受信制御を行う。一方、各電話端末機内のディレクトリ情報登録管理手段は、ディレクトリ情報を登録、管理し、ディレクトリ情報送受信制御手段はディレクトリ情報共有管理装置と、ディレクトリ情報の送受信制御を行う。
【０００４】
【特許文献１】特開平１１−０８８５０９号公報。
【発明の開示】
【発明が解決しようとする課題】
【０００５】
しかしながら、従来例のシステムにおいては、ディレクトリ情報共有管理装置と、各電話端末機との間で電話帳情報等のディレクトリ情報を送受信して管理するのみで、どの装置のディレクトリ情報が最新のものであるかわからないという問題点があった。
【０００６】
本発明の目的は以上の問題点を解決し、最新の電話帳データを備えることができるように更新できるファクシミリ装置を提供することにある。
【課題を解決するための手段】
【０００７】
本発明に係るファクシミリ装置は、オリジナルの電話帳データを含む電話帳データテーブルを格納したサーバ装置と、コピーデータの電話帳データを含む電話帳データテーブルを格納したファクシミリ装置とがネットワークを介して接続されてなるファクシミリシステムのためのファクシミリ装置であって、
上記電話帳データテーブルは、識別子で区別された電話帳データを含み、
上記電話帳データテーブル内の電話帳データがコピーデータであるときに、上記サーバ装置にアクセスして１つの識別子の電話帳データを受信して、受信した識別子の電話帳データと、同一の識別子を有する自装置内の電話帳データとを比較して、自装置内の電話帳データが古いとき、自装置内の電話帳データを上記受信した電話帳データで更新する更新手段を備えたことを特徴とする。
【０００８】
上記ファクシミリ装置において、使用者が上記電話帳データの印字処理を指示したとき、上記更新手段は、上記比較して更新する処理を実行することを特徴とする。
【０００９】
また、上記ファクシミリ装置において、使用者が上記電話帳データの宛先を選択して指定したとき、上記更新手段は、上記比較して更新する処理を実行することを特徴とする。
【００１０】
さらに、上記ファクシミリ装置において、上記更新手段は、上記比較して更新する処理を所定の時間間隔で定期的に実行することを特徴とする。
【００１１】
またさらに、上記ファクシミリ装置において、上記更新手段は、使用者の指示に基づいて実行することを特徴とする。
【００１２】
また、上記ファクシミリ装置において、上記電話帳データはコピーデータであることを示す情報を含み、当該情報を含む電話帳データを出力する出力手段をさらに備えたことを特徴とする。
【００１３】
さらに、上記ファクシミリ装置において、上記出力手段は、上記電話帳データを表示し、印字し、又は外部装置に対して出力することを特徴とする。
【発明の効果】
【００１４】
従って、本発明に係るファクシミリ装置によれば、上記電話帳データテーブル内の電話帳データがコピーデータであるときに、上記サーバ装置にアクセスして１つの識別子の電話帳データを受信して、受信した識別子の電話帳データと、同一の識別子を有する自装置内の電話帳データとを比較して、自装置内の電話帳データが古いとき、自装置内の電話帳データを上記受信した電話帳データで更新するので、自装置内の電話帳データを最新のデータで自動的に更新することができる。特に、宛先を選択するときなどにおいて更新のチェックを行うことができるので、よく使用する宛先の電話帳データについて、使用者は注意しないでも自動的に最新のデータに更新できる。
【発明を実施するための最良の形態】
【００１５】
以下、本発明に係る実施形態について図面を参照して説明する。なお、同様の構成要素については同一の符号を付している。
【００１６】
図１は本発明の一実施形態に係る、ファクシミリ機能を有するサーバ装置２０−０（サーバ装置２０−０は本実施形態においてファクシミリ機能を有しているが、本発明では特にファクシミリ機能を有しなくてもよい。）と、複数のクライアントファクシミリ装置２０−１乃至２０−Ｎとを備えた電話帳データ共用ファクシミリシステムの構成を示すブロック図である。図１において、本実施形態に係るファクシミリシステムは、オリジナルの電話帳データを含む電話帳データテーブル７ａを格納したサーバ装置２０−０と、コピーデータの電話帳データを含む電話帳データテーブル７ａを格納した複数Ｎ個のクライアントファクシミリ装置２０−１乃至２０−ＮとがＬＡＮ３０を介して接続されて構成されている。なお、Ｎは１でもよく、１以上の整数である。このファクシミリシステムにおいて、各クライアントファクシミリ装置２０−１乃至２０−Ｎは、電話帳データテーブル７ａ内の電話帳データがコピーデータであるときに、サーバ装置２０−０にＬＡＮ３０を介してアクセスして１つの識別子の電話帳データを受信して、受信した識別子の電話帳データと、同一の識別子を有する自装置内の電話帳データとを比較して、自装置内の電話帳データが古いとき、自装置内の電話帳データを上記受信した電話帳データで更新する（図４のステップＳ２−Ｓ５；図５のステップＳ１３−Ｓ１６）ことを特徴としている。以下、当該更新の機能を、電話帳データの自動更新機能という。
【００１７】
図２は、図１のサーバ装置２０−０及びクライアントファクシミリ装置２０−１乃至２０−Ｎ（以下、総称してファクシミリ装置２０という。）の構成を示すブロック図である。
【００１８】
図２において、ファクシミリ装置２０は、従来のＧ３方式等のファクシミリ通信機能を備えるとともに、電話帳データの自動更新機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示し、送信すべき原稿のイメージデータ、及び受信したイメージデータの表示を行う。
【００１９】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２０】
ＲＯＭ６は、当該ファクシミリ装置２０の動作に必要であって主制御部１によって実行される種々のソフトウェアのプログラムを予め格納し、ここで、当該プログラムは、少なくとも図４の電話帳プリント処理と、図５のファクシミリ送信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。ここで、ＲＡＭ７は、電話帳データテーブル７ａを格納する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００２１】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００２２】
以上のように構成された本実施形態のファクシミリ装置２０は、通常のＧ３方式等のファクシミリ通信機能に加えて、電話帳自動更新機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００２３】
図３は、図２の電話帳データテーブル７ａの一例を示す図である。図３において、電話帳データテーブル７ａ内の各電話帳データは、識別子で区別されて、以下のデータを含み構成される。
（１）例えばシリアル番号で示された識別子；
（２）宛先の名前；
（３）電話番号；
（４）ファクシミリ番号：
（５）メールアドレス；
（６）最終更新時刻：
（７）データ種別（オリジナルデータ又はコピーデータ）。
【００２４】
なお、オリジナルデータは、サーバ装置２０−０において格納されるコピー元データであり、コピーデータは、クライアントファクシミリ装置２０−１乃至２０−Ｎにおいて格納された、オリジナルデータからコピーしたコピーデータである。
【００２５】
図４は、図１のクライアントファクシミリ装置２０−ｎによって実行される電話帳プリント処理を示すフローチャートである。
【００２６】
図４において、まず、ステップＳ１で自装置２０−ｎの電話帳データのうちの１つの識別子のデータを選択し、ステップＳ２において選択した電話帳データはコピーデータか否かが判断され、ＹＥＳのときはステップＳ３に進む一方、ＮＯのときはステップＳ７に進む。ステップＳ３においてサーバ装置２０−０にアクセスしてオリジナルの電話帳データをダウンロードし、それと自装置２０−ｎの電話帳データと比較する。ステップＳ４において、当該比較処理により、最終更新時刻に基づいて自装置２０−ｎの電話帳データが更新済みか否か（データが新しいか古いか）が判断され、ＹＥＳのときはステップＳ５に進む一方、ＮＯのときはステップＳ７に進む。ステップＳ５において自装置２０−ｎ内の電話帳データをオリジナルの電話帳データに基づいて更新し、ステップＳ６において更新後の電話帳データがコピーデータであることを示す情報を付加して、ステップＳ７に進む。
【００２７】
ステップＳ７では、自装置２０−ｎ内の電話帳データを印字し、ステップＳ８において次の識別子の電話帳データがあるか否かが判断され、ＹＥＳのときはステップＳ９に戻る一方、ＮＯのときは当該処理を終了する。ステップＳ９において自装置２０−ｎの電話帳データのうちの未選択の１つの識別子のデータを選択してステップＳ２に戻る。
【００２８】
図５は、図１のクライアントファクシミリ装置２０−ｎによって実行されるファクシミリ送信処理を示すフローチャートである。
【００２９】
図５において、ステップＳ１１において宛先をセットしたか否かが判断され、ＹＥＳのときはステップＳ１９に進む一方、ＮＯのときはステップＳ１２に進む。ステップＳ１２において操作部５を用いて電話帳データテーブル７ａの宛先から１つの宛先を選択して指定し、ステップＳ１３において選択した宛先の識別子の電話帳データはコピーデータか否かが判断され、ＹＥＳのときはステップＳ１４に進む一方、ＮＯのときはステップＳ１８に進む。ステップＳ１４においてサーバ装置２０−０にアクセスしてオリジナルの電話帳データをダウンロードし、それと自装置２０−ｎの電話帳データと比較する。ステップＳ１５において、上記比較処理により、最終更新時刻に基づいて自装置２０−ｎの電話帳データが更新済みか否かが判断され、ＹＥＳのときはステップＳ１６に進む一方、ＮＯのときはステップＳ１８に進む。ステップＳ１６において自装置２０−ｎ内の電話帳データをオリジナルの電話帳データに基づいて更新し、ステップＳ１７に進む。ステップＳ１７では、更新後の電話帳データがコピーデータであることを示す情報を付加し、ステップＳ１８で選択した識別子の電話帳の宛先をセットし、ステップＳ１１に戻る。ステップＳ１９では、スタートキーをオンしたか否かが判断され、ＹＥＳのときはステップＳ２０に進む一方、ＮＯのときはステップＳ１１に戻る。そしてステップＳ２０においてファクシミリ送信処理を実行して、当該処理を終了する。
【００３０】
以上説明したように、本実施形態によれば、各クライアントファクシミリ装置２０−１乃至２０−Ｎは、電話帳のプリント処理のとき、又はファクシミリ送信処理において、電話帳データテーブル７ａ内の電話帳データがコピーデータであるときに、サーバ装置２０−０にＬＡＮ３０を介してアクセスして１つの識別子の電話帳データを受信して、受信した識別子の電話帳データと、同一の識別子を有する自装置内の電話帳データとを比較して、自装置内の電話帳データが古いとき、自装置内の電話帳データを上記受信した電話帳データで更新（図４のステップＳ２−Ｓ５；図５のステップＳ１３−Ｓ１６）している。従って、自装置内の電話帳データを最新のデータで自動的に更新することができる。特に、宛先を選択するときなどにおいて更新のチェックを行うことができるので、よく使用する宛先の電話帳データについて、使用者は注意しないでも自動的に最新のデータに更新できる。
【００３１】
以上の実施形態においては、電話帳のプリント処理のとき、又はファクシミリ送信処理において、電話帳データの自動更新処理を実行しているが、本発明はこれに限らず、以下の場合に実行してもよい。
（１）自動更新処理を所定の時間間隔で定期的に実行する。
（２）自動更新処理を操作部５を用いて入力された使用者の指示に基づいて実行する。
【図面の簡単な説明】
【００３２】
【図１】本発明の一実施形態に係る、サーバ装置２０−０と、複数のクライアントファクシミリ装置２０−１乃至２０−Ｎとを備えた電話帳データ共用ファクシミリシステムの構成を示すブロック図である。
【図２】図１のサーバ装置２０−０及びクライアントファクシミリ装置２０−１乃至２０−Ｎ（総称してファクシミリ装置２０）の構成を示すブロック図である。
【図３】図２の電話帳データテーブル７ａの一例を示す図である。
【図４】図１のクライアントファクシミリ装置２０−ｎによって実行される電話帳プリント処理を示すフローチャートである。
【図５】図１のクライアントファクシミリ装置２０−ｎによって実行されるファクシミリ送信処理を示すフローチャートである。
【符号の説明】
【００３３】
１…主制御部、
２…画像読取部、
３…画像記録部、
４…表示部、
５…操作部、
６…ＲＯＭ、
７…ＲＡＭ、
７ａ…電話帳データテーブル、
８…画像メモリ、
１０…ファックスモデム、
１１…ＮＣＵ、
１２…ＬＡＮインターフェース、
１３…バス、
２０−０…サーバ装置、
２０−１乃至２０−Ｎ…クライアントファクシミリ装置、
３０…ＬＡＮ、
Ｌ…公衆電話回線。
【図１】
2006080965.tif 000003
【図２】
2006080965.tif 000004
【図３】
2006080965.tif 000005
【図４】
2006080965.tif 000006
【図５】
2006080965.tif 000007